(57)【要約】      （修正有）【課題】ドラム式洗濯機に用いられるゴミ受けの略格子状部分が目詰まりせず、また、その清掃が容易であり、清潔感や利便性に優れるドラム式洗濯機用ゴミ取りフィルタ及びこれを含むゴミ受け構造体を提供する。【解決手段】ドラム式洗濯機用ゴミ取りフィルタ６は、一端が開口６ｂを有する略袋状の繊維製ネット６ａで構成され、開口６ｂの周縁に伸縮部６ｃを有し、複数の開口部を有するドラム式洗濯機用ゴミ受け１に着脱自在に取り付けられる。ドラム式洗濯機用ゴミ受け構造体１０は、ゴミ取りフィルタ６と、複数の開口部からなる略格子状部分を有するドラム式洗濯機用ゴミ受け１と、ゴミ受け１の少なくとも一部に貼付されて、ゴミ取りフィルタ６を着脱自在に取付可能な取付部材４とを具備している。【選択図】図３
0003228489.tif 000002
【実用新案登録請求の範囲】
【請求項１】
一端が開口を有する略袋状の繊維製ネットで構成され、
前記開口の周縁に伸縮部を有し、
複数の開口部を有するドラム式洗濯機用ゴミ受けに着脱自在に取り付けられること、
を特徴とするドラム式洗濯機用ゴミ取りフィルタ。
【請求項２】
請求項１に記載のゴミ取りフィルタと、
複数の開口部を有するドラム式洗濯機用ゴミ受けと、
前記ゴミ受けの少なくとも一部に貼付されて、前記ゴミ取りフィルタを着脱自在に取付可能な取付部材と、を具備し、
前記ゴミ取りフィルタは、前記複数の開口部を覆いかつ前記取付部材によって前記ゴミ受けに取り付けられる構成を有すること、
を特徴とするドラム式洗濯機用ゴミ受け構造体。
【考案の詳細な説明】
【技術分野】
【０００１】
本考案は、ドラム式洗濯機のゴミ受けに用いられるフィルタ及びこれを含むゴミ受け構造体に関する。
【背景技術】
【０００２】
昨今では家庭用洗濯機等としてドラム式洗濯機が普及しており、種々の技術が提案されている。例えば特許文献１（特開２０１２−８５７７４号公報）においては、「有底円筒形に形成された回転ドラムと、開口する正面側から底部となる背面側に向けて回転軸方向が水平または水平方向から下向き傾斜となるようにして前記回転ドラムを内包する水槽と・・・、前記水槽の下部に形成された排水口と、前記排水口と連通する排水管と、前記排水管と連通し排水フィルタを内設するフィルターケースと・・・」を具備するドラム式洗濯機が提案されている。
【０００３】
ここで、上記の排水フィルタには、図１に示すようなゴミ受け１が使用されており、このゴミ受け１には、ある程度の長さを有し、多数の開口を含む略格子状部分２ａ及び内壁２ｂを有する凹状の受け部２を具備しており、この受け部２にゴミが溜まるため、一定期間ドラム式洗濯機を使用した後には、ゴミ受け１をドラム式洗濯機から取り出して、溜まったゴミを取り除いて捨てる必要がある。
【先行技術文献】
【特許文献】
【０００４】
【特許文献１】特開２０１２−８５７７４号公報
【考案の概要】
【考案が解決しようとする課題】
【０００５】
しかしながら、ゴミ受け１を上記のように使用していると、受け部にヌメリや汚れが付着し、略格子状部分が目詰まりしたり、その清掃に手間が掛かったりし、清潔感や利便性に劣るという問題がある。
【０００６】
そこで、本考案の目的は、ドラム式洗濯機に用いられるゴミ受けの略格子状部分が目詰まりせず、また、その清掃が容易であり、清潔感や利便性に優れるドラム式洗濯機用ゴミ取りフィルタ及びこれを含むゴミ受け構造体を提供することにある。
【課題を解決するための手段】
【０００７】
上記の課題を解決すべく、本考案は、
一端が開口を有する略袋状の繊維製ネットで構成され、
前記開口の周縁に伸縮部を有し、
複数の開口部を有するドラム式洗濯機用ゴミ受けに着脱自在に取り付けられること、
を特徴とするドラム式洗濯機用ゴミ取りフィルタ、
を提供する。
【０００８】
また、本考案は、
上記本考案のゴミ取りフィルタと、
複数の開口部を有するドラム式洗濯機用ゴミ受けと、
前記ゴミ受けの少なくとも一部に貼付されて、前記ゴミ取りフィルタを着脱自在に取付可能な取付部材と、を具備し、
前記ゴミ取りフィルタは、前記複数の開口部を覆いかつ前記取付部材によって前記ゴミ受けに取り付けられる構成を有すること、
を特徴とするドラム式洗濯機用ゴミ受け構造体、
を提供する。
【考案の効果】
【０００９】
上記のような構成の本考案によれば、ドラム式洗濯機に用いられるゴミ受けの略格子状部分が目詰まりせず、また、その清掃が容易であり、清潔感や利便性に優れるドラム式洗濯機用ゴミ取りフィルタ及びこれを含むゴミ受け構造体を提供することができる。
【図面の簡単な説明】
【００１０】
【図１】従来及び本考案で用いられるドラム式洗濯機用ゴミ受け１の一例の概略斜視図である。
【図２】図１に示すドラム式洗濯機用ゴミ受け１の受け部２の内壁２ｂに、取付部材を貼付した様子を示す概略斜視図である。
【図３】図１に示すドラム式洗濯機用ゴミ受け１に、本考案のドラム式洗濯機用ゴミ取りフィルタ６を取り付けたドラム式洗濯機用ゴミ受け構造体１０の概略斜視図である。
【考案を実施するための形態】
【００１１】
以下、本考案に係るドラム式洗濯機用ゴミ取りフィルタ及びこれを含むゴミ受け構造体の一実施形態について、図面を参照しつつ詳細に説明する。ただし、本考案はこれら図面に限定されるものではない。また、図面は、本考案を概念的に説明するためのものであるから、理解容易のために、必要に応じて寸法、比又は数を誇張又は簡略化して表している場合もある。
【００１２】
図３に示すように、本実施形態に係るドラム式洗濯機用ゴミ受け構造体１０は、ゴミ取りフィルタ６と、複数の開口部からなる略格子状部分を有するドラム式洗濯機用ゴミ受け１と、ゴミ受け１の少なくとも一部に貼付されて、ゴミ取りフィルタ６を着脱自在に取付可能な取付部材４と、を具備している。
【００１３】
ゴミ取りフィルタ６は、一端が開口６ｂを有する略袋状の繊維製ネット６ａで構成されており、開口６ｂの周縁には伸縮部６ｃが設けられており、取付部材４を介して、ゴミ受け１に着脱自在に取り付けられる。
【００１４】
そして、ゴミ受け１は、図１に示すように、ある程度の長さを有し、多数の開口を含む略格子状部分２ａ及び内壁２ｂを有する凹状の受け部２を具備しており、ゴミ取りフィルタ６が、略格子状部分２ａを覆い、かつ内壁２ｂに貼付された取付部材４によってゴミ受け１に取り付けられる。
【００１５】
本実施形態においては、図２に示すように内壁２ｂに貼付され、ゴミ取りフィルタ６を取り付ける取付部材４としては、図示しないが、内壁２ｂに対向する一方の面に粘着テープ等の接着部材が位置し、他方の面には面ファスナ（マジックテープ（登録商標））の雄側部材が位置するものを採用している。
【００１６】
また、ゴミ取りフィルタ６は、ポリエステル及び／又はポリウレタン等の樹脂繊維の編布（編物）からなる略袋状のネットで構成されており、微小な開口を多数有していてフィルタの役割を果たすとともに、このような繊維製ネットは上記の面ファスナの雄側部材に対して雌側部材としても機能するため、着脱自在に取付部材４に接続・接合されることになる。
【００１７】
ゴミ取りフィルタ６の伸縮部６ｃは、ゴミ取りフィルタ６でゴミ受け１を覆った際に、靴下のようにピッタリと装着するためのものであり、従来公知の構成であればよく、例えばゴム状繊維や伸縮性繊維、上記の樹脂繊維等を編み込んで形成すればよい。
【００１８】
このような構成を有する本考案のドラム式洗濯機用ゴミ取りフィルタ６及びこれを含むゴミ受け構造体１０によれば、この受け部２に装着されたフィルタ６にゴミが溜まるため、一定期間ドラム式洗濯機を使用した後には、ゴミ受け１のいずれの部分も（表も裏も）清掃せずにフィルタ６を交換すれば足り、受け部２にヌメリや汚れが付着すること、略格子状部分２ａが目詰まりすること、ゴミ受け１の清掃に手間が掛かること、を防止することができ、清潔感や利便性に優れる。
【００１９】
以上、本考案の代表的な実施形態について説明したが、本考案はこれらに限定されるものではなく、種々の設計変更が可能であり、それらも本考案に含まれる。例えば、ゴミ受け、ゴミ取りフィルタ及び取付部材には、本考案の効果を損なわない範囲であれば、種々の材料、形状、寸法を採用することができる。
【符号の説明】
【００２０】
１・・・ゴミ受け
２・・・受け部
２ａ・・・略格子状部分
２ｂ・・・内壁
４・・・取付部材
６・・・ゴミ取りフィルタ
６ａ・・・繊維製ネット
６ｂ・・・開口
６ｃ・・・伸縮部
１０・・・ゴミ受け構造体。
【図１】
0003228489.tif 000003
【図２】
0003228489.tif 000004
【図３】
0003228489.tif 000005
【手続補正書】
【提出日】令和2年7月22日(2020.7.22)
【手続補正１】
【補正対象書類名】実用新案登録請求の範囲
【補正対象項目名】全文
【補正方法】変更
【補正の内容】
【実用新案登録請求の範囲】
【請求項１】
一端が開口を有する略袋状の繊維製ネットで構成され、
前記開口の周縁にゴム状繊維、伸縮性繊維又は樹脂繊維で構成された伸縮部を有し、
複数の開口部を有するドラム式洗濯機用ゴミ受けに着脱自在に取り付けられること、
を特徴とするドラム式洗濯機用ゴミ取りフィルタ。
【請求項２】
請求項１に記載のゴミ取りフィルタと、
複数の開口部を有するドラム式洗濯機用ゴミ受けと、
前記ゴミ受けの少なくとも一部に貼付されて、前記ゴミ取りフィルタを着脱自在に取付可能な取付部材と、を具備し、
前記ゴミ取りフィルタは、前記複数の開口部を覆いかつ前記取付部材によって前記ゴミ受けに取り付けられる構成を有すること、
を特徴とするドラム式洗濯機用ゴミ受け構造体。